(57)【要約】【課題】プラテンのぐらつきによる記録品質の劣化を防止し、また、プラテンの着脱を容易且つ確実にできる印刷装置を提供する。【解決手段】プラテン保持部２１は、下面に円盤状の鉄材からなる磁性体２０１を有するプラテン２０を電磁力により引きつけて保持するために設けられている。このプラテン保持部２１は、円盤状の磁性材料から成るプラテン受板２１０と、プラテン受板２１０の裏面側の略中央部からプラテン受板２１０と直交する方向に延設された磁性材料から成る円筒状の支柱部２１２と、当該支柱部２１２の外周部、且つ、プラテン受板２１０の下面に接するように設けられた電磁石２１１と、支柱部２１２の下部に設けられた支柱基部２１３とから構成されている。【選択図】図４
2009241370.tif 000002
【特許請求の範囲】
【請求項１】
被印刷媒体の表面に印刷を行う印字ヘッドと、
前記被印刷媒体を保持する保持面を有するプラテンと、
前記プラテンの保持面と反対側の面に設けられた磁性体と、
当該プラテンを着脱可能に保持するプラテン保持部と、
当該プラテン保持部に設けられ、前記プラテンの磁性体を電磁力により引き寄せて前記プラテンを固定する第一の電磁力発生部材と
を備えたことを特徴とする印刷装置。
【請求項２】
前記プラテンの保持面と反対側の面から突出された軸部材と、
前記プラテン保持部に設けられ、前記軸部材を把持して前記プラテンを固定する把持部材とを備え、
当該把持部材は、第一部材と当該第一部材に対して接近離間可能な第二部材とから構成されており、
前記第一部材と前記第二部材とを接近離間移動させて前記軸部材を把持する把持駆動部材を備えたことを特徴とする請求項１に記載の印刷装置。
【請求項３】
前記印字ヘッドにより印刷を行う指示をする印刷指示手段を設け、
当該印刷指示手段により印刷が指示された場合に、前記第一の電磁力発生部材に通電する通電制御手段を備えたことを特徴とする請求項１又は２に記載の印刷装置。
【請求項４】
前記プラテンの取り外し指示の入力を行う取外指示手段を設け、
当該取外指示手段により前記プラテンの取り外し指示の入力がなされた場合に、前記第一の電磁力発生部材への通電を停止する通電停止制御手段を備えたことを特徴とする請求項３に記載の印刷装置。
【請求項５】
前記第二部材は磁性体から構成され、前記把持駆動部材は前記第一部材に設けられ、当該第二部材を電磁力により引きつける第二の電磁力発生部材であること特徴とする請求項２に記載の印刷装置。
【請求項６】
前記通電制御手段は前記印刷指示手段により印刷が指示された場合に、前記第一及び第二の電磁力発生部材に通電することを特徴とする請求項５に記載の印刷装置。
【請求項７】
前記通電制御手段は前記取外指示手段により前記プラテンの取り外し指示がなされた場合に、前記第一及び第二の電磁力発生部材への通電を停止することを特徴とする請求項６に記載の印刷装置。
【請求項８】
前記プラテンの保持面と反対側の面には、係止部が設けられ、
前記プラテン保持部には、前記係止部が係止される被係止部が設けられていることを特徴とする請求項１乃至７の何れかに記載の印刷装置。
【発明の詳細な説明】
【技術分野】
【０００１】
本発明は、印刷装置に関するものであり、詳細には、着脱可能なプラテンを確実に固定できる印刷装置に関する。
【背景技術】
【０００２】
従来、平板状のプラテンにＴシャツ等の布帛を載置して、インクジェットヘッドからインクを布帛に吐出して印刷を行うインクジェット式印刷装置が知られている（例えば、特許文献１参照。）。このインクジェット式印刷装置では、装置の前後方向に往復移動可能な平板状のプラテンを備え、被印刷媒体としてＴシャツが装置の前側からプラテンにセットされる。そして、プラテンを移動させることにより印刷位置をずらして、Ｔシャツにインクジェットヘッドからインクを吐出して印刷が行われる。尚、印刷後はＴシャツは装置の前側から取り出される構成となっている。
【０００３】
また、このようなインクジェット式印刷装置では、被印刷媒体の大きさに合わせて、プラテンが交換できるようにプラテンが着脱可能となったものも知られている（例えば、特許文献２参照。）。このインクジェット式印刷装置では、プラテンの下面の中央には支柱が設けられ、当該支柱が、プラテン受板に設けられた嵌合穴に嵌合して保持されるようになっている。
【０００４】
【特許文献１】特開２００４−２８４３０５号公報
【特許文献２】特開２００５−１０３９３７号公報
【発明の開示】
【発明が解決しようとする課題】
【０００５】
特許文献１及び２に記載されているようなインクジェット式印刷装置では、プラテンを支柱で支えているためプラテンの移動による振動が印刷品質に影響を及ぼすという問題点がある。また、特許文献２に記載されているようなインクジェット式印刷装置では、プラテンの支柱をプラテン受板に設けられた嵌合穴に嵌合してプラテンを保持しているだけなので、プラテンが十分に固定されずにがたつくことがあるという問題点がある。また、プラテンの支柱を保持する保持部に固定用の螺子を貫通させてプラテンの支柱を固定することもできるが、この螺子を締め忘れる場合もある。また、プラテンを取り外す場合には、螺子を緩める手間が掛かるという問題点もある。
【０００６】
本発明は上述の問題点を解決するためになされたものであり、プラテンのぐらつきによる記録品質の劣化を防止し、また、プラテンの着脱を容易且つ確実にできる印刷装置を提供することを目的とする。
【課題を解決するための手段】
【０００７】
上記課題を解決するため、請求項１に係る発明の印刷装置は、被印刷媒体の表面に印刷を行う印字ヘッドと、前記被印刷媒体を保持する保持面を有するプラテンと、前記プラテンの保持面と反対側の面に設けられた磁性体と、当該プラテンを着脱可能に保持するプラテン保持部と、当該プラテン保持部に設けられ、前記プラテンの磁性体を電磁力により引き寄せて前記プラテンを固定する第一の電磁力発生部材とを備えている。
【０００８】
また、請求項２に係る発明の印刷装置では、請求項１に記載の発明の構成に加えて、前記プラテンの保持面と反対側の面から突出された軸部材と、前記プラテン保持部に設けられ、前記軸部材を把持して前記プラテンを固定する把持部材とを備え、当該把持部材は、第一部材と当該第一部材に対して接近離間可能な第二部材とから構成されており、前記第一部材と前記第二部材とを接近離間移動させて前記軸部材を把持する把持駆動部材を備えている。
【０００９】
また、請求項３に係る発明の印刷装置では、請求項１又は２に記載の発明の構成に加えて、前記印字ヘッドにより印刷を行う指示をする印刷指示手段を設け、当該印刷指示手段により印刷が指示された場合に、前記第一の電磁力発生部材に通電する通電制御手段を備えたことを特徴とする。
【００１０】
また、請求項４に係る発明の印刷装置では、請求項３に記載の発明の構成に加えて、前記プラテンの取り外し指示の入力を行う取外指示手段を設け、当該取外指示手段により前記プラテンの取り外し指示の入力がなされた場合に、前記第一の電磁力発生部材への通電を停止する通電停止制御手段を備えたことを特徴とする。
【００１１】
また、請求項５に係る発明のインクジェット記録装置では、請求項２に記載の発明の構成に加えて、前記第二部材は磁性体から構成され、前記把持駆動部材は前記第一部材に設けられ、当該第二部材を電磁力により引きつける第二の電磁力発生部材であること特徴とする。
【００１２】
また、請求項６に係る発明の印刷装置では、請求項５に記載の発明の構成に加えて、前記通電制御手段は前記印刷指示手段により印刷が指示された場合に、前記第一及び第二の電磁力発生部材に通電することを特徴とする。
【００１３】
また、請求項７に係る発明のインクジェット記録装置では、請求項６に記載の発明の構成に加えて、前記通電制御手段は前記取外指示手段により前記プラテンの取り外し指示がなされた場合に、前記第一及び第二の電磁力発生部材への通電を停止することを特徴とする。
【００１４】
また、請求項８に係る発明の印刷装置では、請求項１乃至７の何れかに記載の発明の構成に加えて、前記プラテンの保持面と反対側の面には、係止部が設けられ、前記プラテン保持部には、前記係止部が係止される被係止部が設けられていることを特徴とする。
【発明の効果】
【００１５】
請求項１に係る発明の印刷装置において、プラテンを着脱可能に保持するプラテン保持部に設けられた第一の電磁力発生部材がプラテンの保持面と反対側の面に設けられた磁性体を電磁力により引き寄せて前記プラテンを固定するので、プラテンをがたつかせずに確実に保持できる。
【００１６】
また、請求項２に係る発明の印刷装置では、請求項１に記載の発明の効果に加えて、プラテン保持部に設けられ、軸部材を把持してプラテンを固定する把持部材は、第一部材と第一部材に対して接近離間可能な第二部材とから構成されており、把持駆動部材が第一部材と第二部材とを接近離間移動させて軸部材を把持できる。従って、プラテンを第一の電磁力発生部材及び把持部材で固定できるので、確実にプラテンを固定してがたつきを防止できる。
【００１７】
また、請求項３に係る発明の印刷装置では、請求項１又は２に記載の発明の効果に加えて、印刷指示手段により印刷が指示された場合に、通電制御手段が第一の電磁力発生部材に通電するので、印刷時には、第一の電磁力発生部材によりプラテンが固定されているので、印刷時にプラテンの固定が成されておらず、プラテンが、がたつくことがない。
【００１８】
また、請求項４に係る発明の印刷装置では、請求項３に記載の発明の効果に加えて、プラテンの取り外し指示の入力を行う取外指示手段を設け、当該取外指示手段によりプラテンの取り外し指示の入力がなされた場合に、通電停止制御手段が第一の電磁力発生部材への通電を停止する。
【００１９】
また、請求項５に係る発明のインクジェット記録装置では、請求項２に記載の発明の効果に加えて、第二部材は磁性体から構成され、把持駆動部材は第一部材に設けられているので、第二の電磁力発生部材が第二部材を電磁力により引きつけることができる。従って、プラテンの軸部材を第一部材及び第二部材で把持して固定することができる。
【００２０】
また、請求項６に係る発明の印刷装置では、請求項５に記載の発明の効果に加えて、通電制御手段は印刷指示手段により印刷が指示された場合に、第一及び第二の電磁力発生部材に通電するので、印刷時には、プラテンが第一及び第二の電磁力発生部材により確実に固定保持される。
【００２１】
また、請求項７に係る発明のインクジェット記録装置では、請求項６に記載の発明の効果に加えて、通電制御手段は取外指示手段により前記プラテンの取り外し指示がなされた場合に、第一及び第二の電磁力発生部材への通電を停止することができる。従って、第一及び第二の電磁力発生部材への通電を個別に停止する必要が無く、プラテンの取り外しが容易にできる。
【００２２】
また、請求項８に係る発明の印刷装置では、請求項１乃至７のいずれかに記載の発明の効果に加えて、プラテンの保持面と反対側の面には、係止部が設けられ、プラテン保持部には、係止部が係止される被係止部が設けられているので、係止部が被係止部に係止されることにより、プラテンとプラテン保持部の位置決めを行うことができる。
【発明を実施するための最良の形態】
【００２３】
以下、本発明の第一の実施の形態の印刷装置１について図面を参照して説明する。図１は、印刷装置１の正面図であり、図２は、印刷装置１の右側面図である。
【００２４】
図１に示すように、印刷装置１は印刷装置１の底部に位置する水平部２ｖと、当該水平部２ｖの正面視両端から垂直に立ち上がる垂直部２ｈからなるフレーム２を有している。そして、左右の垂直部２ｈの上部同士を連結するように、ガイドレール４が水平に架設されている。このガイドレール４は、キャリッジ５の移動をガイドレール４の長手方向に案内するためのものである。このガイドレール４の左端付近にはキャリッジモータ７が設けられており、右端付近にはプーリ８が設けられている。キャリッジベルト９が、ガイドレール４よりも下方の位置にて、キャリッジモータ７とプーリ８との間に架設されている。キャリッジベルト９はキャリッジ５の背面に固定されており、キャリッジモータ７の駆動によってガイドレール４の長手方向（図１における左右方向）に往復移動される。
【００２５】
また、ケーシング３はフレーム２に設けられており、印刷装置１の内部を覆い、保護している。図１においては、ケーシング３の内部を詳細に示すために、ケーシング３を２点鎖線で描いて透視的に図示している。尚、ケーシング３の図１における正面視右側上部には、印刷装置１の操作を行うための操作パネル４０が設けられている。
【００２６】
また、キャリッジ５は、略直方体形状を有し、その底面に圧電式の４つのインクジェットヘッド６を搭載している。４つのインクジェットヘッド６は、例えばシアン、マゼンタ、イエロー、ブラックの４色のカラーインクのそれぞれに対応して設けられており、各インクを噴射するための、例えば１２８個のチャンネル（図示外）をそれぞれ備えている。そして、各チャンネルには、各々個別に駆動される圧電アクチュエータ（図示外）が設けられており、各チャンネルに対応してインクジェットヘッド６の底面に孔設された微細な噴射ノズル（図示外）から下向きに、インクの液滴が噴射されるように制御される。
【００２７】
そして、印刷装置１の左右の側面には、各インクを収容したインクカートリッジ１１を着脱可能に収容するためのカートリッジ収容部１２がそれぞれ設けられている。各カートリッジ収容部１２は、インクカートリッジ１１をそれぞれ２つずつ装着できるようになっている。そして、各インクカートリッジ１１と、各インクジェットヘッド６とはチューブ（図示外）によってそれぞれ接続され、各チャンネルにインクが供給されるようになっている。
【００２８】
また、キャリッジ５がガイドレール４の右端に移動した位置には、各インクジェットヘッド６のノズル面に対して密着・離脱が可能な吸引キャップ１３を有するパージユニット１４が設けられている。パージユニット１４には吸引ポンプ（図示外）が設けられており、各吸引キャップ１３がインクジェットヘッド６に密着しているときに、吸引キャップ１３を介してインクの吸引を行うことが可能となっている。また、印刷が行われないときには吸引キャップ１３でインクジェットヘッド６のノズル面が覆われ、インクの乾燥が防止されている。
【００２９】
図１及び図２に示すように、水平部２ｖの上にプラテン駆動機構１０が設置されている。水平部２ｖ上の前方には２つの基部３５が水平部２ｖから垂直方向に立上っており、水平部２ｖの後方にも２つの基部３６が水平部２ｖから垂直方向に立上っている（図２参照）。そして、４つの基部３５，３６を頂点とした略長方形が形成されている。そして、各基部３５の上部にはそれぞれプーリ２８が設けられており、各基部３６の上部にもそれぞれプーリ２９が設けられている。そして、左側のプーリ２８と左側のプーリ２９とに無端ベルト２７が架設されており、右側のプーリ２８と右側のプーリ２９とにも無端ベルト２７が架設されている。また、２本の無端ベルト２７の上方にはそれぞれ２本のプラテン用レール２６が設けられている。そして、プラテン用レール２６及び無端ベルト２７には、固定部材２４によって略長方形の板状のスライド基部２３が固定されている。スライド基部２３からは支柱部２１２ が立上り、支柱部２１２はプラテン２０を支えている。また、後方のプーリ２９にはプラテンモータ２５が設けられており、このプラテンモータ２５が駆動することにより、固定部材２４がプラテン用レール２６に沿って、印刷装置１の前後方向に移動する。
【００３０】
次いで、図３乃至図６を参照してプラテン２０及びプラテン保持部２１の構造について説明する。図３は、プラテン２０に被印刷媒体の一例としてＴシャツを固定した状態を示す平面図である。図４は、プラテン２０及びプラテン保持部２１の正面図である。図５は、プラテン２０の底面図である。図６は、プラテン保持部２１の平面図である。
【００３１】
図３乃至図５に示すように、プラテン２０は、その最上部にＴシャツ等の布帛を保持する略長方形の板状の載置部２００が設けられている。印刷装置１の前方向側の載置部２００の一辺は被印刷媒体であるＴシャツ１００をセットしやすいようにＶ字型にカットされている。尚、プラテン２０の載置部２００の形状はこれに限らず、インクジェットヘッドに対向する面がインクジェットヘッド６が往復運動する経路に平行な平面となっているものであれば、被印刷媒体の印刷部分の形状に合わせて、形状やサイズの異なる形状であってもよい。
【００３２】
また、図３及び図４に示すように、プラテン２０の載置部２００の下面の略中央には円柱状の支柱２０２が載置部２００と直交する方向に延設されている。また、支柱２０２の周囲の載置部２００の下面には、円盤状の鉄材からなる磁性体２０１が固定されている。この磁性体２０１は、後述する電磁石２１１により引きつけられるようになっている。
【００３３】
また、図４及び図５に示すように、磁性体２０１には、円柱の係合突起２０３，２０４が設けられ、後述するプラテン受板２１０の係合孔２１５，２１６に嵌り込むようになっている。従って、プラテン２０をプラテン保持部２１に対して、位置合わせができ、プラテン２０の載置部２００が水平方向で回転して、位置ずれをしてしまうことを防止できる。尚、係合突起２０３，２０４が「係止部」に相当し、係合孔２１５，２１６が「被係止部」に相当する。
【００３４】
次に、図４及び図６を参照して、プラテン保持部２１の構造について説明する。プラテン保持部２１は、プラテン２０を保持するために設けられている。このプラテン保持部２１は、円盤状の磁性材料（一例として、鉄材）から成るプラテン受板２１０と、プラテン受板２１０の裏面側の略中央部からプラテン受板２１０と直交する方向に延設された磁性材料（一例として、鉄材）から成る円筒状の支柱部２１２と、当該支柱部２１２の外周部、且つ、プラテン受板２１０の下面に接するように設けられた巻回されたコイルから成る電磁石２１１と、支柱部２１２の下部に設けられた支柱基部２１３とから構成されている。そして、支柱基部２１３は、スライド基部２３の略中央に固定されて、支柱部２１２を支えている。
【００３５】
また、図６に示すように、プラテン受板２１０は、平面視、円形の鉄板であるが、その中央部に、プラテン２０の支柱２０２が挿入される円形の開口部２１４が穿設されている。さらに、図４に示すように、支柱部２１２の内部には、その長手方向に円筒孔２１７が穿設されており、開口部２１４と円筒孔２１７とは、繋がっており、プラテン２０の支柱２０２は、開口部２１４から支柱部２１２の円筒孔２１７に挿入されるようになっている。なお、開口部２１４及び円筒孔２１７の開口径は、プラテン２０の支柱２０２の直径よりも僅かに大きくなっており、プラテン２０の支柱２０２が挿入されて嵌合できるようになっている。尚、インクジェットヘッド６が「印字ヘッド」に相当し、プラテン２０が、「プラテン」に相当し、磁性体２０１が「磁性体」に相当し、プラテン保持部２１が「プラテン保持部」に相当し、電磁石２１１が「第一の電磁力発生部材」に相当し、支柱２０２が「軸部材」に相当し、支柱部２１２が「把持部材」に相当する。
【００３６】
次に、図７乃至図９を参照して、印刷装置１の電気的な構成について説明する。図７は、本実施の形態の印刷装置１の電気的な構成を示すブロック図であり、図８は、ＲＯＭ８２の記憶エリアを示す概念図であり、図９は、ＲＡＭ８３の記憶エリアを示す概念図である。
【００３７】
図７に示すように、印刷装置１の制御部８０には、印刷装置１全体の制御を司るＣＰＵ８１が設けられ、ＣＰＵ８１には、バス８６を介して、ＣＰＵ８１が実行する各種の制御プログラム等を記憶したＲＯＭ８２と、データを一時的に記憶するＲＡＭ８３とが接続されている。また、ＣＰＵ８１には、インクジェットヘッド６の各チャンネルに設けられた圧電アクチュエータを駆動させるためのヘッド駆動部８４と、キャリッジモータ７やプラテンモータ２５を駆動させるためのモータ駆動部８５と、電磁石２１１のオン・オフを制御するプラテン保持機構駆動部９２とがバス８６を介して接続されている。
【００３８】
さらに、ＣＰＵ８１には、操作パネル４０に設けられているディスプレイ４１やランプ４２の表示制御を行う表示制御部８７と、操作パネルに設けられている印刷開始を指示するプリントボタン４３、印刷停止を指示する停止ボタン４４，プラテンの取り外しを指示するプラテン取外ボタン４５等の入力を受け付ける入力検知部８８と、操作パネルに設けられているスピーカー４６の音声出力を制御する音声制御部８９と、印刷装置１の上位装置であるＰＣ９１に接続するための通信制御部９０とがバス８６を介して接続している。
【００３９】
次に、図８に示すように、ＲＯＭ８２には、プログラムの実行開始時に設定される初期値等が記憶された初期設定記憶エリア８２１、及び印刷装置１の制御を行う種々のプログラムが記憶されたプログラム記憶エリア８２２等が設けられている。さらに、ＲＯＭ８２には、図示外の各種記憶エリアが設けられている。
【００４０】
次に、図９に示すように、ＲＡＭ８３には、ＰＣ９１から受信した印刷データを記憶する印刷データ記憶エリア８３１と、現在印刷している行数を計測するラインカウンタを記憶するラインカウンタ記憶エリア８３２とが設けられている。さらに、ＲＡＭ８３には、図示外の各種記憶エリアが設けられている。
【００４１】
また、プラテン２０の載置部２００の材質もさまざまで、アクリルのような合成樹脂のものや、アルミニウムのような金属のものが考えられる。
【００４２】
次に、図１０のフローチャートを参照して、印刷装置１で印刷を行う手順を説明する。図１０は、印刷手順のフローチャートである。まず、使用者は、ＰＣ９１から印刷データを印刷装置１に送信する。そして、印刷データを印刷する被印刷媒体に合ったプラテン２０をプラテン保持部２１に装着し、プラテン２０に被印刷媒体を装着する。そして、印刷装置１の電源をＯＮすると（Ｓ１）、ＣＰＵ８１の制御によりプラテン保持機構駆動部９２からプラテン保持部２１の電磁石２１１のコイルに駆動電流が流されて、電磁石２１１がＯＮとなる（Ｓ２）。すると、電磁石２１１によりプラテン２０の載置部２００の裏面に設けられた磁性体２０１がプラテン保持部２１のプラテン受板２１０に引きつけられて、プラテン２０がプラテン保持部２１に固定される。
【００４３】
次いで、プリントボタン４３が押下されると（Ｓ３：ＹＥＳ）、電磁石２１１がＯＮとなっているか否かをＣＰＵ８１が判断する（Ｓ４）。この判断は、プラテン保持機構駆動部９２から電磁石２１１に駆動電流が流れているか否かで判断する。電磁石２１１がＯＮとなっていない場合には（Ｓ４：ＮＯ）、プラテン保持機構駆動部９２からプラテン保持部２１の電磁石２１１のコイルに駆動電流が流されて、電磁石２１１がＯＮとなる（Ｓ５）。その後、プラテン２０を印刷開始位置に移動して、印刷を開始する（Ｓ６）。その後、Ｓ３の処理に戻る。このようにすることで、電源投入後には、プラテン保持部２１の電磁石２１１がＯＮとなっている筈であるが、プラテン保持機構駆動部９２の誤動作等の理由により、電磁石２１１がＯＦＦとなっていても、プリントボタン４３を押下すると、必ず、電磁石２１１がＯＮとなるので、印刷時には、プラテン２０がプラテン保持部２１に確実に保持されており、プラテン２０が、がたついたり揺れたりすることで、印刷の品位が低下することを防止できる。また、Ｓ４の判断処理で、電磁石２１１がＯＮとなっている場合には（Ｓ４：ＹＥＳ）、プラテン２０を印刷開始位置に移動して、印刷を開始する（Ｓ６）。その後、Ｓ３の処理に戻る。
【００４４】
また、プラテン取外ボタン４５が押下、またはＰＣ９１よりプラテン２０の取り外しが指示されると（Ｓ３：ＮＯ，Ｓ７：ＹＥＳ）、プラテン保持機構駆動部９２からプラテン保持部２１の電磁石２１１のコイルに流れている駆動電流が停止されて、電磁石２１１がＯＦＦとなる（Ｓ８）。また、プラテン２０の取り外しが指示されない場合には（Ｓ７：ＮＯ）、Ｓ３の処理に戻る。
【００４５】
以上説明したように、印刷装置１のプラテン２０は支柱２０２で支えられており、プラテン保持部２１に着脱可能となっており、プラテン保持部２１の電磁石２１１をＯＮとすることにより、プラテン２０の磁性体２０１をプラテン受板２１０に引き付けて、プラテン保持部２１に対して、プラテン２０を確実に保持できる。従って、プラテン２０の振動や回転を確実に防止できる。従って、インクジェットヘッド６のＴシャツ１００への印刷品質を向上することができる。尚、プリントボタン４３が「印刷指示手段」に相当し、プラテン保持機構駆動部９２が「通電制御手段」に相当し、プラテン取外ボタン４５が「取外指示手段」に相当し、Ｓ８の処理を行うＣＰＵ８１及びプラテン保持機構駆動部９２が「通電停止制御手段」に相当する。
【００４６】
次に、本発明の第二の実施の形態の印刷装置１を、図１１乃至図１３を参照して説明する。この第二の実施の形態の印刷装置１では、大部分の構成は、第一の実施の形態の印刷装置１と同じであるので、異なる点だけを説明する。図１１は、第二の実施の形態の印刷装置１のプラテン保持部２１の支柱部２１２の平面図であり、図１２は、第二の実施の形態の印刷装置１の電気的構成を示すブロック図であり、図１３は、第二の実施の形態の印刷装置１のプラテン保持部２１の支柱部２１２の第二電磁石２１９の動作時の平面図である。
【００４７】
この第二の実施の形態の印刷装置１では、図１１に示すように、プラテン保持部２１の支柱部２１２を縦に２つに割って、一方の部材である第一部材２１８に第二電磁石２１９を設けて、他方を図示外の支持機構により可動可能な押さえ部材２２０としている。そして、第一部材２１８は、支柱基部２１３及びプラテン受板２１０に固定されており、押さえ部材２２０は磁性体（一例として、鉄材）から構成され、第一部材２１８に対して接近離間できるように図示外のガイド部材により案内されて可動可能になっている。従って、押さえ部材２２０は、支柱基部２１３及びプラテン受板２１０に固定されていない。
【００４８】
そして、この第二電磁石２１９は、図１２に示すように、プラテン保持機構駆動部９２により駆動電流が供給されて、電磁石２１１がＯＮとなるときに、同時にＯＮとなり、図１３に示すように、プラテン２０の支柱２０２を第一部材２１８と押さえ部材２２０とで押圧して把持する。このときに、電磁石２１１により、プラテン２０の磁性体２０１がプラテン受板２１０に引きつけられて固定されている。従って、プラテン２０は、２箇所で、プラテン保持部２１に固定されることになる。尚、第一部材２１８が「第一部材」に相当し、押さえ部材２２０が「第二部材」に相当し、第二電磁石２１９が「把持駆動部材」及び「第二の電磁力発生部材」に相当する。
【００４９】
以上説明したように、第二の実施の形態の印刷装置１では、プラテン２０は、２箇所で、プラテン保持部２１に固定されるので、プラテン保持部２１に対して、プラテン２０をより確実に保持できる。従って、プラテン２０の振動や回転を確実に防止できる。従って、インクジェットヘッド６のＴシャツ１００への印刷品質を向上することができる。
【産業上の利用可能性】
【００５０】
本発明の印刷装置は、被印刷媒体を保持可能な作業面を有するプラテンを備えた印刷装置に適用可能である。
【図面の簡単な説明】
【００５１】
【図１】印刷装置１の正面図である。
【図２】印刷装置１の右側面図である。
【図３】プラテン２０にＴシャツを保持した状態を示す平面図である。
【図４】プラテン２０及びプラテン保持部２１の正面図である。
【図５】プラテン２０の底面図である。
【図６】プラテン保持部２１の平面図である。
【図７】本実施の形態の印刷装置１の電気的な構成を示すブロック図である。
【図８】ＲＯＭ８２の記憶エリアを示す概念図である。
【図９】ＲＡＭ８３の記憶エリアを示す概念図である。
【図１０】印刷手順のフローチャートである。
【図１１】第二の実施の形態の印刷装置１のプラテン保持部２１の支柱部２１２の構造を模式的に示した平面図である。
【図１２】第二の実施の形態の印刷装置１の電気的構成を示すブロック図である。
【図１３】第二の実施の形態の印刷装置１のプラテン保持部２１の支柱部２１２の第二電磁石２１９の動作時の状態を模式的に示した平面図である。
【符号の説明】
【００５２】
１ 印刷装置
６ インクジェットヘッド
２０ プラテン
２１ プラテン保持部
４３  プリントボタン
４５  プラテン取外ボタン
８１  ＣＰＵ
９２  プラテン保持機構駆動部
２００ 載置部  
２０１ 磁性体
２０２ 支柱
２０３，２０４ 係合突起
２１０ プラテン受板
２１１ 電磁石
２１２ 支柱部
２１９ 第二電磁石
２１５，２１６  係合孔
２１８  第一部材
２２０  押さえ部材
【図１】
2009241370.tif 000003
【図２】
2009241370.tif 000004
【図３】
2009241370.tif 000005
【図４】
2009241370.tif 000006
【図５】
2009241370.tif 000007
【図６】
2009241370.tif 000008
【図７】
2009241370.tif 000009
【図８】
2009241370.tif 000010
【図９】
2009241370.tif 000011
【図１０】
2009241370.tif 000012
【図１１】
2009241370.tif 000013
【図１２】
2009241370.tif 000014
【図１３】
2009241370.tif 000015